【事件の表示】
　平成１０年特許願第３６３１６３号「遊技情報管理装置」拒絶査定不服審判事件〔平成１２年　７月　４日出願公開、特開２０００−１８５１５８〕について、次のとおり審決する。
【結　論】
　本件審判の請求は、成り立たない。
【理　由】
１．手続の経緯
　本願は、平成１０年１２月２１日の出願であって、平成２１年７月１４日付（発送日：７月２１日）で拒絶査定がなされ、これに対し、同年１０月２０日に拒絶査定不服審判の請求がされるとともに、同日付で手続補正がなされた。その後、当審において平成２２年１１月３０日付けで平成２１年１０月２０日付けの手続補正を却下すると共に、同日付けで拒絶理由を通知し、平成２３年２月３日付けで手続補正がなされたものである。
　
　
２．本件発明
　平成２３年２月３日付け手続補正により、特許請求の範囲は、
「【請求項１】
　遊技客ＩＤを記憶するカードと、遊技情報監視装置と、管理装置とを備え、
　前記遊技情報監視装置は、前記カードに記憶されている遊技客ＩＤと、対象とする遊技台の遊技台ＩＤと、対象とする遊技台にて遊技している遊技客であって前記遊技客ＩＤが対応付けられている遊技客が獲得した玉の計数値である賞球計数値と、当該遊技客が使用した玉の計数値である使用玉計数値と、を含む遊技データを、当該遊技データが変化したときを含むタイミングで前記管理装置に送信し、
　前記管理装置は、前記遊技情報監視装置から送信される前記遊技データを受信して記憶し、
　前記遊技情報監視装置に異常が発生した後に復旧した場合、
　復旧した遊技情報監視装置は、
　前記管理装置に記憶されている前記遊技データにおける遊技客ＩＤ毎の遊技データの賞球計数値と使用玉計数値に基づいて、異常が発生した時点における各遊技客が保持していた玉数を判別する、
　遊技情報管理装置。
【請求項２】
　遊技客ＩＤを記憶するカードと、遊技情報監視装置と、管理装置とを備え、
　前記遊技情報監視装置は、前記カードに記憶されている遊技客ＩＤと、対象とする遊技台の遊技台ＩＤと、対象とする遊技台にて遊技している遊技客であって前記遊技客ＩＤが対応付けられている遊技客が獲得した玉の計数値である賞球計数値と、当該遊技客が使用した玉の計数値である使用玉計数値と、を含む遊技データを、当該遊技データが変化したときを含むタイミングで前記管理装置に送信し、更に前記遊技データを記憶し、
　前記管理装置は、前記遊技情報監視装置から送信される前記遊技データを受信して記憶し、
　前記管理装置に異常が発生した後に復旧した場合、
　復旧した管理装置は、
　前記遊技情報監視装置に記憶されている前記遊技データにおける遊技客ＩＤ毎の遊技データの賞球計数値と使用玉計数値に基づいて、異常が発生した時点における各遊技客が保持していた玉数を判別する、
　遊技情報管理装置。」
　と補正された。
　そして、上記請求項１に係る発明を、以下「本件発明」という。
　
　
３．引用文献に記載された事項
（１）当審が通知した拒絶の理由において引用文献１として引用した特開平９−１６４２５９号公報には、図面とともに、以下の記載がある。
（ア）「【０００６】本発明は、上述のような課題をいずれも解決するためになされたものであり、出玉の運搬を不要とするとともに、且つ、玉の補給が容易であり、しかも、偽造防止可能なパチンコ機の出玉交換方法及び装置を実現することを目的とする。加えて、豊富な交換景品を供給可能とすることも目的とする。
【０００７】
【課題を解決するための手段】上述のような課題を解決するために発明された第１〜第５の解決手段について、その構成及び作用効果を、以下に説明する。
【０００８】［第１の解決手段］請求項１に記載した第１の解決手段は、出玉の回収と回収出玉の計数と遊技玉の補給と識別データの読み出し自在なパチンコ機と、前記識別データに対応する玉数データを有し、前記パチンコ機と直接或いは間接的に通信可能なホストコンピュータと、玉数ごとの交換可能景品データを有し、記録媒体に記録されている識別データの読み取り及び交換可能景品の表示を自在とするとともに、前記ホストコンピュータと通信可能な景品検索装置とを用いた、パチンコ機の出玉交換方法に関する。このような第１の解決手段である本発明に係るパチンコ機の出玉交換方法においては、記録媒体を前記パチンコ機に装着することにより、前記パチンコ機はその識別データを読み取り、該識別データに関する伝文を前記ホストコンピュータに送信するとともに、計算された回収出玉の玉数データに関する伝文を前記ホストコンピュータに送信し、更に、前記ホストコンピュータは前記識別データに関する伝文と玉数データに関する伝文を受信して該当玉数データを加算更新し、玉要求の所定操作がなされることにより、前記パチンコ機は、要求する玉数に関する伝文を前記ホストコンピュータに送信し、更に、前記ホストコンピュータは、この伝文を受信して該当玉数データを減算更新するとともに、前記パチンコ機は遊技玉の補給がなされる。また、前記記録媒体が前記景品検索装置に装着されることにより、前記景品検索装置は、記録媒体に記録されている識別データを読み取るとともに、この識別データに関する伝文を前記ホストコンピュータに送信し、前記ホストコンピュータは、この伝文を受信して該当玉数データに関する伝文を前記景品検索装置に返送し、更に、前記景品検索装置は、受信伝文の玉数データの範囲で前記交換可能景品データを検索して景品を表示することを特徴とする。
【０００９】ここで、「出玉の玉数データ」とは、出玉を計数して得られた玉数データの意味である。「識別データ」とは、記録媒体に予め記録されている個人識別データと、それぞれのパチンコ機に設定されているパチンコ機識別データとの少なくとも一方を含むものであり、特に、「記録媒体に記録されている識別データ」とは、個人に関する識別データを指す。「…データに関する伝文」とは、少なくとも…データを含むように作成された通信伝文の意味であり、「該当玉数データ」とは、識別データごとの玉数データのうち特定の識別データに対応する玉数データの意味である。」
（イ）「【００２６】
【発明の実施の形態】次に、本発明の実施の形態について説明する。図１〜４は、請求項３に対応する本発明の実施の形態の第１例を示している。本第１例のパチンコ機の出玉交換装置は、遊技者ごとに異なる個人識別データを書き込んだ、記録媒体であるカード１１を発行する発券機１０と、パチンコ島に列設された複数のパチンコ機２０と、出玉の一括管理処理等の中心となるホストコンピュータ４０と、景品を検索・表示等する、景品検索装置である景品検索端末６０とを備えている。各パチンコ機２０及びホストコンピュータ４０は、通信ネットワーク３０に接続され、通信ネットワーク３０を介して各種の伝文をやり取りすることで、互いに通信可能なものとなっている。景品検索端末６０及びホストコンピュータ４０も、通信ネットワーク５０に接続され、通信ネットワーク５０を介して各種の伝文をやり取りすることで、互いに通信可能なものとなっている。尚、通信伝文は、一般には各ネットワークに適合したフォーマットのものであれば良いが、アプリケーション上は例えばデータの先頭１バイトが種別を示すようなものとなっている。
【００２７】更に、パチンコ機２０は、特公平５−８４１９６号公報等で公知の回収樋等などからなる図示しない出玉の回収機構に連結されており、この回収機構への出玉の経路に計数器２２が設けられている。計数器２２の計数値はコントローラ２１に送出される。これにより、出玉の回収機構に連結されたパチンコ機２０は、それぞれ、回収した出玉を計数する計数手段を具備したものとなっている。このようなパチンコ機２０には、カード１１の挿入口や読出回路等を持ったリーダ２３が組み込まれ、このリーダ２３はコントローラ２１によって制御される。そして、この挿入口にカード１１が挿入されると、リーダ２３によってカード１１から少なくとも個人識別データが読み取られ、この個人識別データがコントローラ２１に送出される。尚、リーダ２３には、カード排出スイッチ（後述する本発明の実施の形態の第３例を表す図７参照）を設けており、これを操作することで、カード１１がリーダ２３から排出される。これにより、パチンコ機２０は、挿着された挿抜可能な記録媒体に記録されている個人識別データを読み取る読出手段を具備したものとなっている。
【００２８】パチンコ機２０のコントローラ２１は、プログラム処理によって、リーダ２３から個人識別データを受けるとこれを記憶保持しておく。少なくともリーダ２３のカード排出スイッチが操作されるまでは記憶・保持しておく。そして、計数器２２から送出された出玉数データを受けると、その個人識別データとこの出玉数データとを組にして回収出玉数報告用通信伝文（第１種伝文）を作成する。この通信伝文は通信インターフェイス２４及び通信ネットワーク３０を介してホストコンピュータ４０に送られる。これにより、パチンコ機２０は、読出手段又は計数手段の処理に応じて、個人識別データ及び玉数データの双方を含む第１種伝文を送信するものとなっている。
【００２９】パチンコ機２０は、特公平５−８４１９６号公報等で公知の図示しない管理装置用補給機構に連結され、コントローラ２１の制御に応じて所定個数の遊技玉を補給機構からパチンコ機２０のパチンコ台に補給する玉補給機２５も設けられている。更に、パチンコ機２０のコントローラ２１には、ホストコンピュータ４０から通信ネットワーク３０及び通信インターフェイス２４を介して遊技玉補給指令用通信伝文（第３種伝文）を受信したとき、玉補給機２５を制御して補給動作をさせる処理を行うプログラムがインストールされている。これにより、パチンコ機２０は、ホストコンピュータから送り出された第３種伝文を受信した場合に、この受信伝文に応じて自機の遊技玉を補給する補給手段を具備したものとなっている。」
（ウ）「【００３１】ホストコンピュータ４０は、ＣＰＵ４１と、これにバス結合したメモリ４３や通信ネットワーク３０側の通信インターフェイス４２、通信ネットワーク５０側の通信インターフェイス４７とを備えたものである。メモリ４３は、演算プログラム４４と、出玉管理テーブル４５と、応答プログラム４６とが、ロード・アロケートされたＲＡＭである。前記出玉管理テーブル４５は、遊技者ごとの個人識別データに一致するＩＤと該当ＩＤの玉数データと該当遊技者の氏名と該当遊技者の住所との各アイテムからなるレコードが、多数、迅速アクセスのために個人識別データ順にソートされたものである（図３参照）。これにより、ホストコンピュータ４０は、個人識別データごとの玉数データを保持する記憶手段を具備したものとなっている。
【００３２】演算プログラム４４は、パチンコ機２０から通信ネットワーク３０を介して送信され、通信インターフェイス４２で受信した回収出玉数報告用通信伝文（第１種伝文）を受け取ると、この通信伝文に含まれた個人識別データと出玉数データとに基づいて、この個人識別データとＩＤアイテムのデータとが一致するレコードを検索し、このレコードにおける玉数アイテムのデータに受信伝文の出玉数データを加算する処理を行う。これにより、ホストコンピュータ４０は、パチンコ機から第１種伝文を受信した場合に、この受信伝文に応じてこの伝文内の個人識別データに対応する玉数データを加算更新する演算手段を具備したものとなっている。
【００３３】演算プログラム４４は、さらに、パチンコ機２０から通信ネットワーク３０を介して送信され通信インターフェイス４２で受信した遊技玉補給要求用通信伝文（第２種伝文）を受け取ると、この通信伝文に含まれた個人識別データに基づいて、この個人識別データとＩＤアイテムのデータとが一致するレコードを検索し、このレコードにおける玉数アイテムのデータ値と１回当りの補給玉数とを比較して、玉数アイテムのデータ値が１回当り補給玉数以上のときだけ、玉数アイテムのデータ値から１回当り補給玉数を減算するとともに遊技玉補給指令用通信伝文（第３種伝文）の送信サブルーチンをコールする処理を行う。送信サブルーチンは通信インターフェイス４２及び通信ネットワーク３０を介して所定の遊技玉補給指令用通信伝文をパチンコ機２０に送信する処理を行うものである。これにより、ホストコンピュータ４０は、パチンコ機に向けて第３種伝文を送信する送信手段と、パチンコ機から第２種伝文を受信した場合に、この受信伝文に応じて、この伝文内の個人識別データに対応する玉数データを減算更新するとともに、自己の送信手段にパチンコ機２０へ向けて第３種伝文の送信を行わせる演算手段とを具備したものとなっている。」
（エ）「【００５７】次に、請求項５に対応する本発明の実施の形態の第３例について説明する。図６及び図７は、その概要構成図である。本例の構造の場合、複数のパチンコ機２０によって構成される島ごとに、島管理装置（サブコンピュータ）１００が設けられている。そして、パチンコ機から送り出される各種伝文、並びにホストコンピュータ４０から送り出される各種伝文は、この島管理装置１００を介して通信自在とされている。すなわち、本例の構造の場合、個人識別データ及び前記パチンコ機に設定されているパチンコ機識別データを含む第６種伝文と、回収出玉数報告用通信伝文である、前記計数手段で計数した玉数データ及び前記パチンコ機識別データを含む第７種伝文と、遊技玉補給要求用通信伝文である、玉要求の所定操作に応じて、前記パチンコ機識別データ及び要求した玉数を表わす要求玉数データを含む第８種伝文と、その他ホストコンピュータ４０から送り出される通信伝文等とを、島管理装置１００並びにネットワーク３０を介して、通信自在である。」
（オ）「【００６１】各パチンコ機２０のパチンコ機識別データは、パチンコ機２０内の制御器（コントローラ）内の記憶部（メモリ）内に記憶している。一方、記録媒体であるカードには、個人識別データと、このカードにより遊戯できる玉数或いは金額等のクレジット情報が記録されている。これら記憶は、磁気的、或いは電気的に行える。すなわち、このカードを磁気カードとしたり、或いは、ＩＣカードとすることができる。この記憶は、更新可能である。
【００６２】本例における構造の場合、遊技者が遊戯しようとする際には、先ず、記録媒体であるカードをリーダ２３の装着口に挿着する。このリーダ２３は、前記カードに記載されている個人識別データを読み取り、パチンコ機識別データとともに第６種伝文として、通信インターフェース２４を介して島管理装置１００に送信する。島管理装置１００は、これら第６種伝文をネットワーク３０を介してホストコンピュータ４０に送信する。ホストコンピュータ４０の記憶装置には、前記図３に示すデータ管理テーブルと図８に示すパチンコ機管理テーブルが設けられている。このうちのデータ管理テーブルは、前記第１例の構造と同様である。一方、パチンコ機管理テーブルは、各パチンコ機２０にどのカードが挿着されて遊戯が行なわれているかを記録する。これとともに、第８種伝文に基づく、当該遊戯者が発する要求玉の数及びその累計、並びに遊戯開始時刻、終了時刻を記録する。これら各時刻は、例えば、前記第６種伝文の送信及びカードのリーダ２３からの取り出しにより、認識できる。
【００６３】このようなパチンコ機管理テーブルは、島管理装置１００を介して送信された第６種、第７種、第８種、各伝文等に含まれる各識別データに基づいて作成される。上記送信が行なわれた段階では、先ず、遊戯者に係る第６種伝文に基づくＩＤと開始時刻とが設定される。第８種伝文に基づく補給玉の要求があると、当該パチンコ機２０に対して島管理装置１００から玉補給機２５を介して遊戯玉が補給が補給される。これと同時に、島管理装置１００は、要求された玉数のデータを、ネットワーク３０を介してホストコンピュータ４０に送信する。ホストコンピュータ４０は、パチンコ機識別データを基にして前記図８に示す管理テーブルにアクセスする。そして、要求玉数を一旦、リセットした後、受信した要求玉数を書き込むとともに、要求玉数累計項目を加算更新する。そして、アクセスしたパチンコ機識別データにおいて該当する個人識別データに基づき、前記図３の管理テーブルをアクセスし、玉数を要求玉数で減算更新する。尚、玉補給時には、パチンコ機識別データとともに個人識別データを送信しても良い。この場合には、図８に示す管理テーブルを、パチンコ機識別データと、個人識別データとによりアクセスする。遊戯中における出玉の計数及び出玉データの更新、並びに景品交換の作用は、前述した第１例の場合と同様である。」
　
　以上（ア）ないし（オ）の記載、および図面を総合すると、引用文献１には、
「Ａ．パチンコ機２０およびホストコンピュータ４０がネットワーク３０を介して接続されたパチンコ機の出玉交換装置である。
　Ｂ．パチンコ機２０は、遊技者を特定する個人識別データが記録されたカード１１から当該識別データを読み出す手段を備え、読み出された個人識別データ、当該パチンコ機を特定するパチンコ機識別データ、および出玉を計数して得られた玉数データを含んだ伝文を作成し、当該伝文をネットワークを介してホストコンピュータに送信する。
　Ｃ．ホストコンピュータ４０は、パチンコ機２０から送信された伝文を受信して、個人識別データごとの玉数データを記憶し、また、パチンコ機から送信される玉数データあるいは要求玉数データに基づいて、記憶した出玉データを加減算して更新し遊技者毎の持ち玉を管理する。」
　という発明が開示されていると認めることができる。
（上記発明を、以下、「引用発明１」という。）
　
　
４．対比
　引用発明１と本件発明を対比する。
　ａ．引用発明１の「個人識別データ」、「カード１１」、「パチンコ機２０」、「ホストコンピュータ４０」、「パチンコ機識別データ」は、それぞれ本件発明の「遊技客ＩＤ」、「カード」、「遊技情報監視装置」、「管理装置」、「遊技台ＩＤ」に相当する。
　そして、引用発明１の「パチンコ機の出玉交換装置」は、本件発明の「遊技情報管理装置」に対応する。
　ｂ．引用発明１の「伝文」は、「個人識別データ」、「パチンコ機識別データ」および「玉数データ」を含んでおり、この「玉数データ」は、対象とするパチンコ機にて遊戯している特定の遊技者が遊戯した結果の出玉に対応しているから、当該「玉数データ」が「遊技客が獲得した玉の計数値である賞球計数値と、当該遊技客が使用した玉の計数値である使用玉計数値と、を含む」ものであるかは別にして、引用発明１の「伝文」は本件発明の「遊技データ」に対応する。
　
　したがって、引用発明１と本件発明は、
　＜一致点＞
「遊技客ＩＤを記憶するカードと、遊技情報監視装置と、管理装置とを備え、
　前記遊技情報監視装置は、前記カードに記憶されている遊技客ＩＤと、対象とする遊技台の遊技台ＩＤと、を含む遊技データを、前記管理装置に送信し、
　前記管理装置は、前記遊技情報監視装置から送信される前記遊技データを受信して記憶する、
　遊技情報管理装置。」
　で一致し、そして以下の点で相違する。
　
　＜相違点１＞
　本件発明は、遊技情報監視装置から管理装置へ送信される遊技データに、「対象とする遊技台にて遊技している遊技客であって前記遊技客ＩＤが対応付けられている遊技客が獲得した玉の計数値である賞球計数値と、当該遊技客が使用した玉の計数値である使用玉計数値」が含まれているのに対し、引用発明１の伝文には「玉数データ」が含まれているものの、本件発明のようなデータではない点。
　＜相違点２＞
　本件発明は、遊技データを「遊技データが変化したときを含むタイミング」で管理装置に送信するのに対し、引用発明１の伝文の送信タイミングは不明である点。
　＜相違点３＞
　本件発明は、「前記遊技情報監視装置に異常が発生した後に復旧した場合、復旧した遊技情報監視装置は、前記管理装置に記憶されている前記遊技データにおける遊技客ＩＤ毎の遊技データの賞球計数値と使用玉計数値に基づいて、異常が発生した時点における各遊技客が保持していた玉数を判別する」ものであるのに対し、引用発明１は上記構成を有していない点。
　
　
５．判断
　＜相違点１＞について
　当審が通知した拒絶の理由において引用文献２として引用した特開昭５５−１６６０８号公報には、遊技機が、遊技者を特定する個人ナンバーと、遊技機を特定する台番号と、遊技者が遊技機に打球を発射した個数（つまりは使用玉数）と、入賞により得られた入賞玉数とを管理装置に送信し、管理装置は送信されたデータを記憶するもの（特に、公報第２ページ左下欄第９行〜第３ページ左下欄第６行、第６ページ右下欄第３行〜第８ページ右上欄第２行，第１図，第２図，第６図参照）が記載されており、また、当審が通知した拒絶の理由において引用文献４として引用した特開平３−２７２７９０号公報にも、パチンコ機（制御ユニット）から管理装置へ、遊技者を特定するカードに記録されているナンバーと、パチンコ機を特定する台番号と、出玉数（賞球数）と、回収玉数（使用玉数）を送信するもの（特に、公報第１２ページ右下欄第１２行〜第１３ページ右上欄，表１参照）が記載されているから、引用発明１において「伝文」に「遊技客が獲得した玉の計数値である賞球計数値と、当該遊技客が使用した玉の計数値である使用玉計数値」を含ませる程度のことは、引用文献２あるいは引用文献４に記載されたものから当業者が容易に想到し得たと認められる。
　＜相違点２＞について
　特定情報を収集あるいは検出し、その情報を他の機器に送信するような機器において、情報が収集できたタイミングもしくは情報が変化したタイミングで当該情報を他の機器に送信することは、ごく普通に行われている手順であり、周知技術といえるものであるから、引用発明１において、伝文（遊技データ）が変化したタイミングで送信することは当業者が適宜なし得るものと認められる。
　＜相違点３＞について
　本件発明における「前記遊技情報監視装置に異常が発生した後に復旧した場合、復旧した遊技情報監視装置は、前記管理装置に記憶されている前記遊技データにおける遊技客ＩＤ毎の遊技データの賞球計数値と使用玉計数値に基づいて、異常が発生した時点における各遊技客が保持していた玉数を判別する」という事項は、本願明細書の段落【００１５】の記載、および平成２３年２月３日付け意見書からみれば、「遊技情報監視装置に異常が発生し、その後復旧した遊技情報監視装置は、管理装置に記憶されている遊技台および遊技客毎の遊技データ（賞球計数値と使用玉計数値）に基づいて異常発生直後の状態に復旧され、各遊技客が保持していた玉数が判別できるようになる」ことを意味していると解釈できる。
　一方、当審が通知した拒絶の理由において引用文献４として引用した特開平３−２７２７９０号公報には以下の発明が開示されている。
　Ａ．パチンコ機１００、（カード）発行機２００、精算機３００、管理装置４００、および、これらを結合するデータ伝送路５００からなる遊技機である。
（公報第２ページ右下欄第１６行〜第３ページ右上欄第１行、第１図参照）
　Ｂ．パチンコ機１００と一対一に対応して制御ユニット１６０が設けられており、制御ユニット１６０は、ユニット制御装置１８０およびユニットコントローラ１９０を含んでいる。
（公報第５ページ右上欄第１行〜右下欄第１２行、第１０ページ右下欄第５行〜第１１ページ左上欄第４行、第１４図、第１７図、第２１図、第２３図参照）
　Ｃ．ユニットコントローラ１９０は、パチンコ機からの信号に基づいて、出玉数、アウト玉数、持玉数、売上金額等の稼働データを演算し、パチンコ機に関する稼働情報（遊技状態）等を生成し、それらをユニットメモリ５５０の送信データエリアＳＤＡに書き込む。ユニットメモリ５５０に書き込まれた稼働データ等は、管理装置５００に送られ、また、管理装置から送られてくるデータも受信エリアＲＤＡに書き込まれ、ユニットコントローラ１９０がこれを読み取ることによってデータの送受信が行われる。
（公報第１２ページ右下欄第１２行〜第１５ページ左上欄、表１〜表６参照）
　Ｄ．ユニットコントローラ１９０では、パチンコ機の各種センサで検出された信号に基づいて、総賞球数、出玉数、アウト玉数、差数、持ち玉数を演算し、最後に打ち止め演算レジスタに総賞球数を加算する。
（公報第５７ページ左下欄第５行〜第１９行、第７４図参照）
　Ｅ．管理装置４００は、ユニットコントローラ１９０から送られた稼働データを主記憶装置に記録し、停電時にハードディスク記録装置４０３にセーブされる。
（公報第２６ページ右上欄第７行〜右下欄第１１行、第２８ページ左下欄第９行〜右下欄第２行、表１、表１８参照）
　Ｆ．管理装置４００がユニット側の異常を認めたとき、管理装置４００に記憶されている稼働データ等をユニット側（パチンコ機）に送信し、ユニット側は送信された稼働データ等で送受信データ領域のデータを書き換え復旧させる。
（公報第３４ページ左上欄第１２行〜第３７ページ右上欄第１０行、第４６ページ左上欄第１８行〜第４７ページ左上欄第１５行、表２７［Ｂ０Ｈ：ユニット復旧データ］、第５５図、第６３図参照）
　
　これらのことから、引用文献４には、パチンコ機から稼働データ（出玉数やアウト玉数）等を管理装置に送信し、管理装置が当該稼働データを記憶しておくものにおいて、パチンコ機に異常が発生あるいは停電して、その後復旧したとき、管理装置が記憶しておいた稼働データ等を復旧データとしてパチンコ機に送信し、パチンコ機は当該復旧データに基づいて復旧され、持ち玉数等を判別できるようになることが記載されているといえる。
　したがって、引用発明１において、パチンコ機（遊技情報監視装置）に異常が発生した後に復旧したとき、ホストコンピュータ（管理装置）が記憶しておいた稼働データに基づいて異常発生前の状態に復旧させることは、引用文献４に記載されたものから当業者が容易に想到し得たものと認められる。
　さらに、本件発明の作用効果等を勘案しても、本件発明に格別の点は認められない。
　
　
６．むすび
　以上のとおりであるから、本件発明は、引用発明１および引用文献２、４に記載されたものに基づいて、当業者が容易に発明することができたと認められるので、特許法第２９条第２項の規定により特許を受けることができない。
　したがって、本願は、他の請求項について検討するまでもなく、拒絶されるべきものである。
　よって、結論のとおり審決する。